(57)【要約】【課題】表示画面において操作を表示する場合に、利用者に必要な情報を別の表示形態で表示することで、利用者に注意喚起を適切に行うことが出来る画像形成装置等を提供する。【解決手段】少なくとも、注意標記が表示された画像形成装置の説明画像を含む説明画面を表示する説明画面表示手段と、説明画像に表示された注意標記を、説明画像に表示された注意標記とは別に、説明画面に拡大して表示する注意標記表示手段と、を備えたことを特徴とする【選択図】図４
2018018192.tif 000002
【特許請求の範囲】
【請求項１】
少なくとも、注意標記が表示された画像形成装置の説明画像を含む説明画面を表示する説明画面表示手段と、
前記説明画像に表示された注意標記を、前記説明画像に表示された注意標記とは別に、前記説明画面に拡大して表示する注意標記表示手段と、
を備えたことを特徴とする画像形成装置。
【請求項２】
前記注意標記表示手段は、前記説明画像に含まれて表示されている注意標記から、吹き出して別に前記注意標記を拡大して表示することを特徴とする請求項１に記載の画像形成装置。
【請求項３】
前記注意標記に対応する注意画面を、前記説明画面に重畳して更に表示することを特徴とする請求項１又は２に記載の画像形成装置。
【請求項４】
前記注意標記表示手段は、前記説明画像に表示されている注意標記とは異なる表示態様で、前記説明画面に前記注意標記を表示することを特徴とする請求項１から３の何れか一項に記載の画像形成装置。
【請求項５】
前記注意標記表示手段は、前記説明画像から、注意標記を認識し、認識された結果に基づいて当該注意標記を表示することを特徴とする請求項１から４の何れか一項に記載の画像形成装置。
【請求項６】
少なくとも、注意標記が表示された説明画像を含む説明画面を表示する制御を行う説明画面表示制御手段と、
前記説明画像に表示された注意標記を、前記説明画像に表示された注意標記とは別に、前記説明画面に拡大して表示する制御を行う注意標記表示制御手段と、
を備えたことを特徴とする画面表示制御装置。
【発明の詳細な説明】
【技術分野】
【０００１】
本発明は、画像形成装置等に関する。
【背景技術】
【０００２】
従来から、操作画面に、外観画像を利用して対象機器の制御を行うことのできる機器制御方法等が開示されている（例えば、特許文献１参照）。
【０００３】
また、機器の操作方法の説明において、操作対象の可動部を動作させるときに利用者が支持する位置を示すことにより、利用者に適正な操作を行わせ、機器の損傷や利用者の怪我を防止する操作説明方法が開示されている（例えば、特許文献２参照）。
【先行技術文献】
【特許文献】
【０００４】
【特許文献１】特開平１１−１８４５９１号公報
【特許文献２】特開２００４−２７２４４９号公報
【発明の概要】
【発明が解決しようとする課題】
【０００５】
更に、装置を使用するユーザに対して使用上の注意喚起や安全性に対する注意喚起のためにユニット表面に各種標記（ラベル／刻印）を行っていた。
【０００６】
しかし、このような標記がなされていてもユーザがユニットを操作するときにあまり注意を払ってもらえない場合が有り、その結果、操作ミスや適切に対応が出来なくなる場合があるといった問題点が生じていた。
【０００７】
特に注意標記がなされたユニットが装置内部に有る場合外部からは見えないため、メンテナンス時や、上述した操作画面の指示に従ってカバーを開けたときに初めて見ることになるため、あまり注意を払ってもらえないという問題点が生じていた。
【０００８】
とくに、表示画面に、装置外観や、装置構造を表示したとしても、注意表記の画像は小さく表示されており、画面上からは利用者からは視認しにくいという問題が生じていた。
【０００９】
上述した課題に鑑み、本発明は、表示画面において操作を表示する場合に、利用者に必要な情報を別の表示形態で表示することで、利用者に注意喚起を適切に行うことが出来る画像形成装置等を提供することを目的とする。
【課題を解決するための手段】
【００１０】
上述の課題を解決するために、本発明の画像形成装置は、
少なくとも、注意標記が表示された画像形成装置の説明画像を含む説明画面を表示する説明画面表示手段と、
前記説明画像に表示された注意標記を、前記説明画像に表示された注意標記とは別に、前記説明画面に拡大して表示する注意標記表示手段と、
を備えたことを特徴とする。
【００１１】
本発明の画像表示制御装置は、
少なくとも、注意標記が表示された説明画像を含む説明画面を表示する制御を行う説明画面表示制御手段と、
前記説明画像に表示された注意標記を、前記説明画像に表示された注意標記とは別に、前記説明画面に拡大して表示する制御を行う注意標記表示制御手段と、
を備えたことを特徴とする。
【発明の効果】
【００１２】
本発明 は、少なくとも注意標記が表示された装置の説明画像を含む説明画面を表示し、説明画像に表示された注意標記を、前記説明画像に表示された注意標記とは別に、拡大して表示されることとなる。したがって、利用者としては、説明画像とは別の表示形態で注意標記が表示されることから、注意標記を視認しやすく、利用者に注意喚起を適切に行うことができる。
【図面の簡単な説明】
【００１３】
【図１】第１実施形態における機能構成を説明するための図である。
【図２】第１実施形態における説明データベース（ＤＢ）のデータ構造の一例を説明するための図である。
【図３】第１実施形態における処理を説明するための動作フローである。
【図４】第１実施形態における動作を説明するための図である。
【図５】第１実施形態における定着装置の構成を説明するための図である。
【図６】第１実施形態における定着ベルトリフレッシュ動作処理について説明するための図である。
【図７】第１実施形態における定着ベルトリフレッシュ動作における画面例を説明するための図である。
【図８】第１実施形態における定着ベルトリフレッシュ動作における画面例を説明するための図である。
【図９】第１実施形態における定着ベルトリフレッシュ動作における画面例を説明するための図である。
【図１０】第２実施形態における処理を説明するための動作フローである。
【図１１】第２実施形態における画面例を説明するための図である。
【図１２】第３実施形態の動作の処理フロー及び画面例を説明するための図である。
【図１３】第３実施形態の動作の処理フロー及び画面例を説明するための図である。
【図１４】第４実施形態における記憶部の構成を説明するための図である。
【図１５】第４実施形態における処理を説明するための動作フローである。
【発明を実施するための形態】
【００１４】
以下、本発明の実施の形態について、図面を参照して説明する。なお、本実施形態では、一例として、本発明における画像形成装置を、デジタル複合機に適用した場合を例にとって説明する。
【００１５】
［１．第１実施形態］
［１．１  構成の説明］
まず、本発明の画像形成装置を適用した画像形成装置１０の機能構成について、図１に基づいて説明する。
【００１６】
画像形成装置１０は、制御部１００と、画像入力部１１０と、画像処理部１２０と、画像形成部１３０と、操作部１４０と、表示部１５０と、記憶部１６０と、センサ部１７０と、通信部１８０とを備えて構成されている。
【００１７】
制御部１００は、画像形成装置１０の全体を制御するための機能部である。制御部１００は、記憶部１６０に記憶されている各種プログラムを読み出して実行することにより各種機能を実現しており、例えばＣＰＵ（Central Processing Unit）等により構成されている。
【００１８】
画像入力部１１０は、画像形成装置１０に、画像データを入力するための機能部である。入力された画像データは画像処理部１２０で各種画像処理が施され、画像形成部１３０により出力されたり、通信部１８０により画像が他装置に送信されたりする。
【００１９】
画像入力部１１０としては、例えば画像をスキャナ等の原稿読取装置で読み取り、画像データとして出力しても良いし、通信部１８０により、外部記憶装置から画像データを受信しても良いし、他の装置（例えば、サーバや移動通信端末装置等）から画像データを受信してもよい。
【００２０】
画像処理部１２０は、画像データに各種画像処理を実行するための機能部である。例えば、画像の鮮鋭化処理、色変換処理、拡大縮小処理といった種々の処理を実行することができる。
【００２１】
画像形成部１３０は、画像を形成する機能部である。例えば、レーザプリンタ等であれば、記録紙に画像を形成することが可能となる。
【００２２】
操作部１４０は、利用者からの操作入力を受け付ける為の機能部である。例えば、ハードウェアキーにより実現されてもよいし、表示部１５０と一体となっているタッチパネルを利用し、ソフトウェアキーにより実現されてもよい。また、携帯端末装置上で実行されるアプリケーションで実現されても良い。すなわち、利用者が操作入力を、画像形成装置１０に行える機能部であれば良い。
【００２３】
表示部１５０は、利用者に対して各種情報を表示するとともに、本実施形態における説明画面を表示することができる機能部である。例えば、液晶ディスプレイ（LCD：liquid crystal display)等により構成されている。
【００２４】
また、表示部１５０は、画像形成装置１０に外付けされている表示装置であっても良いし、画像形成装置１０と接続可能な携帯端末装置等に表示しても良い。
【００２５】
記憶部１６０は、画像形成装置１０の動作に必要な各種プログラムや、各種データが記憶されている機能部である。記憶部１６０は、例えば、半導体メモリや、ＨＤＤ（Hard Disk Drive）等により構成されている。
【００２６】
また、記憶部１６０には、説明データベース（ＤＢ）１６２が記憶されている。ここで、説明ＤＢ１６２のデータ構成の一例を図２に基づいて説明する。図２に示すように、説明ＤＢ１６２は、説明文を特定するための識別ＩＤ（例えば、「０１２４」）と、説明文（例えば、「トナーの・・・」）と、説明画像（例えば、「ＭＳ００１．ＪＰＧ」）と、説明画像に含まれる注意標記（例えば、「高温」）とが記憶されている。
【００２７】
ここで、説明文、説明画像、注意表記については、必要に応じて記憶していれば良い。また、注意表記については、注意表記の種類を記憶しても良いし、画像を記憶しても良い。また、注意表記を示す位置（座標）を併せて記憶しても良い。
【００２８】
また、注意表記とは、利用者に注意を促すピクトグラム・図形・アイコンのことである。例えば注意を示す「！」等である。これらは、通常ピクトグラムのような図形であるが、例えば「注意」「attention！」といった文字であっても良い。
【００２９】
説明画像は、実際の画像データが記憶されているが、例えば外部サーバの場所（例えば、ＵＲＬ（Uniform Resource Locator）が記憶されていてもよい。また、本実施形態においては、説明ＤＢ１６２は、画像形成装置１０の記憶部１６０に予め記憶されていることとして説明するが、サーバ上（クラウド上）に記憶されていても良いし、利用者が追加してもよい。
【００３０】
センサ部１７０は、画像形成装置１０における各種状態を検知するための機能部である。例えば、温度センサにより、定着部の温度を検出したり、搬送センサにより、用紙詰まりを検出したり、トナー残量センサにより、トナーの残量を検知したりする。
【００３１】
通信部１８０は、外部装置、外部端末又はネットワークと通信を行う為の機能部である。例えば、他の装置であれば、ＵＳＢ（Universal Serial Bus）、ＳＤカードＩＦ、ＲＳ−２３２Ｃ等のインタフェース（ＩＦ）であったり、有線ＬＡＮ、無線ＬＡＮといったネットワークインタフェースであったりしても良い。また、ＮＦＣや、Ｂｌｕｅｔｏｏｔｈ（登録商標）といった近距離無線通信のインタフェースであっても良い。
【００３２】
［１．２  基本的な処理の流れ］
つづいて、本実施形態における説明画面の表示ついて、図３に基づいて説明する。本実施形態において、画面に説明表示を行う場合には、図３の処理が実行される。
【００３３】
まず、説明文を表示する（ステップＳ１０２）。つづいて、当該説明文に対応付けあれた説明画像があるか否かを判定する（ステップＳ１０４）。ここで、説明画像がある場合には（ステップＳ１０４；Ｙｅｓ）、説明画像を表示する（ステップＳ１０６）。ここで、通常説明画像は、当該説明文を表示している段階における装置外観図や、内部図である。図で表示されたり、写真で表示されたりする。また、動画表示や、アニメーション表示であっても良い。このように、装置本体、装置に関する画像が表示される。
【００３４】
続いて、説明画像に対応づけられている注意標記があるか否かを判定する（ステップＳ１０８）。ここで、注意標記がある場合には、説明画像で表示されている注意標記とは別表示を行う（ステップＳ１０８；Ｙｅｓ→Ｓ１１０）。
【００３５】
なお、図３における表示順序は説明の都合上、説明文から表示しているが、異なる順序（例えば、説明画像を表示した後に説明文の表示をする）であっても良い。
【００３６】
ここで、図３の処理によって表示される操作画面の一部を図４に示す。図４には、装置外観（内部構造の画像）が、領域Ｒ１００に表示されている。ここで、領域Ｒ１００に表示されている装置外観画像には、注意標記がＭ１００に表示されている。しかし、この状態では、小さく表示されており、利用者によっては見落としてしまう。そこで、領域Ｍ１０２のように、注意標記を別に表示又は別の表示態様で表示している。
【００３７】
これにより、利用者は、より注意して注意標記を確認することとなる。なお、当該注意標記を別の表示態様として表示する場合には、例えば色を変えて表示しても良いし、点滅表示を行っても良い。また、併せて音を出力するといった、他の報知処理を実行しても良い。
【００３８】
また、当該注意標記は 、説明画像に重畳して表示されるようにしても良いし、別の箇所に表示されても良い。また、説明画像に重畳して表示される場合には、説明画像に含まれている（予め表示されている）注意標記とは重ならないように表示されることが好ましい。本実施形態では、説明画像に含まれている注意標記の箇所から、吹き出しのように表示することにより、説明画像に含まれている注意標記と、別の表示態様により表示されている注意標記とを併せて表示することとしている。
【００３９】
また、この説明画像に含まれている注意標記と、別の表示態様により表示されている注意標記とは、同時に表示されていなくてもよい。例えば、説明画像の注意標記を選択（例えば、タッチ操作）したときに、吹き出し表示されることとしてもよい。また、注意標記表示領域を設けることにより、別に表示することとしても良い。
【００４０】
［１．３  適用例］
つづいて、具体的な画像形成装置における動作に適用した場合について説明する。具体的な動作としては、定着ベルトリフレッシュ動作処理を実行した場合を例に説明する。
【００４１】
ここで、定着ベルトリフレッシュ動作とは、定着装置のメンテンナンス時に行われる処理である。例えば、図５は、定着装置５０を示す図である。ここで、定着ローラ５２と、定着ベルト５４とが位置しており、当該定着ベルト５４の表面を研磨する研磨部材５６を取り付ける。
【００４２】
そして、一定の温度条件（例えば、ヒータ点灯により加熱する）の下で、所定時間回転駆動することで、定着ベルト５４の表面を研磨することができる処理である。
【００４３】
まず、メニュー表示が実行される（図６のステップＳ１５２）。メニュー表示は、図７（ａ）に示した図であり、表示部１５０に、処理を選択させるメニュー表示が行われている。ここで、メニューが選択される、実施形態では「定着ベルトリフレッシュ」が選択されることにより、定着ベルトリフレッシュ処理が実行される。
【００４４】
定着ベルトリフレッシュ処理が選択されると、次にリフレッシュ動作準備処理が実行される（ステップＳ１５４）。このとき、表示部１５０には、図７（ｂ）の説明画面が表示される。この説明画面には、説明文のみが表示されている。
【００４５】
ここで、実行が選択されると、センサ部１７０により定着部の温度検出が行われ（ステップＳ１５６）、第１の所定温度より低ければ、ヒータが点灯する（ステップＳ１５８；Ｙｅｓ→ステップＳ１６０）。また、第２の所定温度より高ければ、冷却ファンが駆動する（ステップＳ１５８；Ｎｏ→ステップＳ１６２；Ｙｅｓ→ステップＳ１６４）。
【００４６】
また、第１の所定温度と、第２の所定温度の間である場合には準備が完了したと判定され、ステップＳ１６６に処理を進める（ステップＳ１５８；Ｎｏ→ステップＳ１６２；Ｎｏ→ステップＳ１６６）。
【００４７】
ここで、第１の所定温度と、第２の所定温度とは同じ温度であっても良いし、異なる温度であってもよい。この場合、第１の所定温度＜第２の所定温度となる。
【００４８】
そして、ステップＳ１６６において、説明表示が行われる（ステップＳ１６６）。ここで、表示部１５０に説明表示をしている一例を示したのが、図７（ｃ）の図である。図７（ｃ）では、説明文と、説明画像とが表示されている。また、説明画像に含まれている注意標記の画像（アイコン／ピクトグラム）が、別表示されている。このように、実際の説明画像（装置概観写真）に含まれている注意標記から、吹き出しのように別の表示形態で注意標記を行う。
【００４９】
なお、当該注意標記については、他の表示形態としても良い。例えば、注意標記の画像だけを大きく表示したり、アニメーション表示を行ったり、点滅表示をしたりする表示形態であっても良い。
【００５０】
また、当該注意標記 は、説明画像に重畳して表示されるようにしても良いし、別の箇所に表示されても良い。また、説明画像に重畳して表示される場合には、説明画像に含まれている（予め表示されている）注意標記とは重ならないように表示されることが好ましい。本実施形態では、説明画像に含まれている注意標記の箇所から、吹き出しのように表示することにより、説明画像に含まれている注意標記と、別の表示態様により表示されている注意標記とを併せて表示することとしている。
【００５１】
また、この説明画像に含まれている注意標記と、別の表示態様により表示されている注意標記とは、同時に表示されていなくてもよい。例えば、説明画像の注意標記を選択（例えば、タッチ操作）したときに、吹き出し表示されることとしてもよい。また、注意標記表示領域を設けることにより、別に表示することとしても良い。
【００５２】
つづいて、利用者に開始操作の指示の待機を行う（ステップＳ１６８）。このときの表示画面が図８（ａ）である。このタイミングで利用者により開始操作がなされる（例えば、図８（ａ）の表示画面で、「実行」が選択される）と、定着温度が所定値に到達し、かつ、外装カバーが閉まっている場合には（ステップＳ１７０；Ｙｅｓ）、リフレッシュ動作（研磨動作）処理を実行する（ステップＳ１７２）。
【００５３】
このとき、表示部１５０には、図８（ｂ）の表示画面が表示されている。そして、定着ベルト５４が所定時間回転することで、研磨部材５６により定着ベルト５４の表面が研磨され、定着ベルトがリフレッシュされることとなる。
【００５４】
また、定着ベルトリフレッシュ動作処理が終了すると、終了処理が実行される（ステップＳ１７４）。具体的には、図８（ｃ）に示すように、定着ベルトリフレッシュツールを取り外す（すなわち、研磨部材５６を取り外す）表示画面が表示される。このとき、表示画像に含まれている注意標記と同じ図が、別の表示形態で表示されている。
【００５５】
そして、定着ベルトリフレッシュツールを取り外した場合、図８（ｃ）で「次へ」が選択（タッチ）されることで、図９の表示画面に遷移する。すなわち、当該表示画面まで遷移することで、定着ベルトリフレッシュツールも終了することとなる。
【００５６】
このように、本実施形態によれば、従前に表示されている説明文や、説明画像に加えて、注意標記を別の表示態様・表示形態で表示することが可能となる。説明画像は、全体を説明するために、装置全体又は操作に必要となる箇所全体を表示する必要がある。そうなると、注意標記の画像は小さくなってしまうという問題点が生じていた。
【００５７】
本実施形態の発明を適用することで、適切な説明画像を表示しつつ、注意標記の画像も併せて表示することが可能となる。
【００５８】
［２．第２実施形態］
第２実施形態について説明する。第２実施形態は、注意標記がある場合には、更に別の表示をするものである。本実施形態は、第１実施形態の機能構成は同一であり、図３の処理フローを図１０に置き換えたものである。そこで、同一の処理には同一の符号を付すことにより、その詳細な説明を省略する。
【００５９】
説明画面を表示しているときに、注意標記は別の表示を行う（ステップＳ１１０）。ここで、注意に関して確認が必要な場合には（ステップＳ２０２；Ｙｅｓ）、注意確認ウィンドウ（注意画面）を別に表示する（ステップＳ２０４）。
【００６０】
例えば、図１１に示すように、もともと表示されている説明画面の上に、重畳的に表示させることが可能である。なお、注意確認は、別画面でも良いし、別領域に表示することとしても良い。
【００６１】
そして、確認操作があった場合には（ステップＳ２０６；Ｙｅｓ）、本処理を終了する。このように、本実施形態によれば、注意標記を別表示として表示するだけでなく、別ウィンドウとして表示させることにより、利用者に更に注意喚起をすることが可能となる。
【００６２】
なお、ここで注意確認が必要か否かは、説明ＤＢ１６２に、対応づけて表示しても良いし、動作フローとして実行してもよい。また、表示される注意標記の種類に応じて、表示させることとしても良い。
【００６３】
［３．第３実施形態］
続いて第３実施形態について説明する。第３実施形態は、通常のメンテナンス処理において表示される場合の実施形態である。
【００６４】
例えば、図１２は、廃トナー交換時の説明画面を説明するための図である。図１２（ａ）は、トナー交換時の動作処理を完結に示した図である。
【００６５】
例えば、廃トナーがフル（廃トナー容器が満杯）であることを検知すると（ステップＳ３０２；Ｙｅｓ）、交換する説明画面が表示部１５０に表示される（ステップＳ３０４）。
【００６６】
この説明画面を表示する場合に、図３の処理が実行されると、注意標記が拡大されて吹き出し表示される。そして、ジャム紙が取り除かれるまで、説明画面が表示されることとなる（ステップＳ３０６；Ｎｏ→ステップＳ３０４）。
【００６７】
図１２（ｂ）は、説明画面の一部を表示したものである。説明表示には、画像形成装置の外観の一部（廃トナーボトル付近の表示）と、説明文とが表示されている。ここで、画像形成装置の外観の一部には、注意標記は表示されている。しかし、小さく表示されていることから、視認性は良好ではない。
【００６８】
これは、画像形成装置の操作を説明使用とすると、全体が入る画像となるため、注意標記が小さく表示されてしまう。そこで、図１２（ｂ）で示しているように、注意標記のみを別の表示形態・表示態様として表示させる。
【００６９】
また、図１３は、ジャム検知時の説明画面を説明するための図である。図１３（ａ）は、ジャム検知時の動作処理を完結に示した図である。
【００７０】
例えば、ジャムを検知すると（ステップＳ３５２；Ｙｅｓ）、画像形成装置にある用紙を取り除くため、画像形成装置内部の操作説明画面が表示部１５０に表示される（ステップＳ３５４）。
【００７１】
この説明画面を表示する場合に、図３の処理が実行されると、注意標記が拡大されて吹き出し表示される。そして、廃トナー容器が交換されるまで、説明画面が表示されることとなる（ステップＳ３５６；Ｎｏ→ステップＳ３５４）。
【００７２】
図１３（ｂ）は、説明画面の一部を表示したものである。説明表示には、画像形成装置の外観の一部と、説明文とが表示されている。ここで、画像形成装置の外観の一部には、注意標記（操作用の表示）が表示されている。しかし、小さく表示されていることから、視認性は良好ではない。そこで、図１３（ｂ）で示しているように、注意標記のみを別の表示形態・表示態様として表示させる。
【００７３】
［４．第４実施形態］
つづいて、第４実施形態について説明する。第４実施形態は、画像に注意標記が含まれている場合に、自動的に認識して別表示を行う場合の実施形態である。
【００７４】
ここで、第４実施形態における、記憶部１６０の構成について図１４に基づいて説明する。図１４に示すように、記憶部１６０には、説明ＤＢ１６２と、注意標記画像１６４とが記憶されている。
【００７５】
ここで、説明ＤＢ１６２には、少なくとも説明文と、説明画像とが含まれていれば良い。すなわち、注意標記については、記憶されていなくても良い。また、注意標記画像１６４は、認識し、表示する注意標記画像を記憶している。
【００７６】
また、本実施形態は、第１実施形態の図３の処理フローを、図１５の処理フローに置き換えたものである。ここで、同一の処理には同一の符号を付し、その説明を省略する。
【００７７】
説明画像を表示し（ステップＳ１０６）、表示された説明画像に注意標記が含まれているか否かを判定する（ステップＳ４０２）。すなわち、説明画像から注意標記が認識可能であれば（ステップＳ４０２；Ｙｅｓ）、注意標記を読み出して別表示を行う（ステップＳ４０４）。
【００７８】
なお、本実施形態において、注意標記を注意標記画像１６４として記憶しているが、例えば説明画像から切り出して拡大表示しても良い。
【００７９】
このように、本実施形態によれば、注意標記画像１６４を、説明ＤＢ１６２に対応づけて記憶しておくことがない。これにより、例えば後から追加された画像であったり、ネットワークからダウンロードされた画像であったりしても、注意標記を別表示することができるようになる。
【００８０】
［５．第５実施形態］
第５実施形態について説明する。第１実施形態から第４実施形態においては、画像形成装置を例にして説明してきたが、このような操作画面が表示制御されるような画面表示制御装置であれば、同様に適用することが可能である。
【００８１】
例えば、コンピュータにおいて適用した場合、コンピュータでは、電源部には高圧電流が流れており、注意が必要である。したがって、コンピュータの部品を交換する場合に、高圧電流注意の注意標記を別表示することが考えられる。
【００８２】
また、これらの説明表示を、携帯端末装置で表示する場合に、当該携帯端末装置で実施することが考えられる。
【００８３】
すなわち、ＨＴＭＬや、ＰＤＦ、画像ファイルといった操作マニュアル、操作画面を表示させている場合、説明画像に注意標記が含まれている場合には当該注意標記を認識し、別表示としても良い。
【００８４】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００８５】
また、実施形態において動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００８６】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【００８７】
１０  画像形成装置
１００  制御部
１１０  画像入力部
１２０  画像処理部
１３０  画像形成部
１４０  操作部
１５０  表示部
１６０  記憶部
１６２  説明ＤＢ
１６４  注意標記画像
１７０  センサ部
１８０  通信部
【図１】
2018018192.tif 000003
【図２】
2018018192.tif 000004
【図３】
2018018192.tif 000005
【図４】
2018018192.tif 000006
【図５】
2018018192.tif 000007
【図６】
2018018192.tif 000008
【図７】
2018018192.tif 000009
【図８】
2018018192.tif 000010
【図９】
2018018192.tif 000011
【図１０】
2018018192.tif 000012
【図１１】
2018018192.tif 000013
【図１２】
2018018192.tif 000014
【図１３】
2018018192.tif 000015
【図１４】
2018018192.tif 000016
【図１５】
2018018192.tif 000017